(57)【要約】本発明は、テレビジョン信号内に含まれている番組を記録する方法に関する。テレビジョン信号は、少なくとも次の番組の実際の開始時間を含む番組情報を含んでいる。当該方法は、記録されるべき前記番組の理論的な開始時間を記憶するステップ（３０）と；後続する番組の間で、少なくとも記憶された前記記録されるべき番組の理論的な開始時間と、前記テレビジョン信号内に含まれる前記番組情報内に含まれている前記次の番組の実際の開始時間とに関する一致の基準を満たす保持されている番組を規定するステップ（３２）と；前記テレビジョン信号を、前記保持されている番組の前記実際の開始時間に基づいて、記録するステップ（３４）；とを有する。
2006509398.tif 000002
【特許請求の範囲】
【請求項１】
テレビジョン信号内に含まれている番組を記録する方法であって、前記テレビジョン信号は、少なくとも次の番組の実際の開始時間を含む番組情報を含んでいる方法であって、
―  記録されるべき前記番組の理論的な開始時間を記憶するステップ、
―  後続する番組の間で、少なくとも記憶された前記記録されるべき番組の理論的な開始時間と、前記テレビジョン信号内に含まれる前記番組情報内に含まれている前記次の番組の実際の開始時間とに関する一致の基準を満たす保持されている番組を規定するステップ、及び
―  前記テレビジョン信号を、前記保持されている番組の前記実際の開始時間に基づいて、記録するステップ、
を有することを特徴とする方法。
【請求項２】
前記伝送されている番組情報が、前記番組の実際の終了時間を含んでいる、請求項１に記載の方法であって、
―  前記保持されている番組に対応する前記テレビジョン信号の記録の間、該保持されている番組に関して伝送されている前記番組情報内で前記番組の実際の終了時間を検索するステップ、及び
―  前記保持されている番組の前記実際の終了時間において前記記録を停止するステップ、
を有することを特徴とする方法。
【請求項３】
前記伝送された番組情報が、現在の番組の発生の指示子を含んでいる、請求項１に記載の方法であって、
―  前記現在の番組の前記発生の前記指示子に従うステップ、及び
―  前記伝送されている番組情報内に、前記現在の番組の前記発生の前記指示子がない間は、前記テレビジョン信号の前記記録を停止するステップ、
を含むことを特徴とする方法。
【請求項４】
前記伝送された番組情報が、前記番組の実際の終了時間を含む、請求項１ないし３のいずれか一項に記載の方法であって、記録されるべき前記番組の理論的な終了時間を記憶するステップを有することと、前記一致の基準が、記録されるべき前記番組の記憶された前記理論的な終了時間と、前記テレビジョン信号内に含まれる前記番組情報内の前記保持されている番組の前記実際の終了時間とにも関することとを特徴とする、方法。
【請求項５】
前記一致の基準が、例えば、前記次の番組に関する放送のタイムテーブルと、前記理論的な開始時間と前記理論的な終了時間との間で規定されている放送のタイムテーブルとの間の時間的な重複であって、自身の継続期間が前記次の番組の放送のタイムテーブルを７０％より多く越えている時間的な重複の存在によって規定されることを特徴とする、請求項４に記載の方法。
【請求項６】
テレビジョン信号内に含まれている番組を記録する装置であって、前記テレビジョン信号は、少なくとも次の番組の実際の開始時間を含む番組情報を含んでいる装置であって、
―  記録されるべき前記番組の理論的な開始時間を記憶する手段、
―  後続する番組の間で、少なくとも記憶された前記記録されるべき番組の理論的な開始時間と、前記テレビジョン信号内に含まれる前記番組情報内に含まれている前記次の番組の実際の開始時間とに関する一致の基準を満たす保持されている番組を規定する手段、及び
―  前記テレビジョン信号を、前記保持される番組の前記実際の開始時間に基づいて、記録する手段、
を有することを特徴とする装置。
【請求項７】
テレビジョン信号が少なくとも次の番組の実際の開始時間を含む番組情報を含んでいる、テレビジョン信号のデコーダであって、
―  記録されるべき前記番組の理論的な開始時間を記憶する手段、
―  後続する番組の間で、少なくとも記憶された前記記録されるべき番組の理論的な開始時間と、前記テレビジョン信号内に含まれる前記番組情報内に含まれている前記次の番組の実際の開始時間とに関する一致の基準を満たす保持されている番組を規定する手段、及び
―  前記保持されている番組の前記実際の開始時間に基づいて、前記テレビジョン信号の記録を制御する手段
を有することを特徴とする、テレビジョン信号のデコーダ。
【請求項８】
データ処理ユニット用のコンピュータプログラムであって、該コンピュータプログラムがデータ処理ユニットによって実施された場合に、請求項２ないし５のいずれか一項に記載の方法のステップを実施する命令の集合を有する、コンピュータプログラム。
【発明の詳細な説明】
【技術分野】
【０００１】
本発明は、データ伝送チャネル上で放送されている番組を記録する方法に関する。
【０００２】
本発明は、前記方法を実施するのに適しているデコーダ及び記録装置にも関する。
【背景技術】
【０００３】
ビデオレコーダのようなビデオ記録機器は、番組の記録を可能にするプログラミング手段を備えている。
【０００４】
前記プログラミング手段は、特に、番組の理論的な（theoretical）開始時間と該番組の理論的な終了時間との入力を可能にする。前記記録は、プログラムされた前記理論的な開始時間に起動され、この記録は、プログラムされた前記理論的な終了時間に停止する。
【０００５】
これらの放送の間、前記番組は、時間的にわずかにずれることがあり、該番組の継続期間は、変化し得る。従って、ある番組は、プログラムされた前記理論的な開始時間より前に開始する、又はプログラムされた前記理論的な終了時間より後に終了する場合に、部分的に記録されるのみである。
【０００６】
現行の受信機、デコーダ及び／又はデジタルテレビジョンレコーダは、電子番組ガイド（electronic program guides :EPG）を有している。このような電子番組ガイドによって、到来する番組の開始及び終了に関する情報の受信が可能にされる。この情報は、前記番組を放送する放送局によって、現在の番組と同時に伝送されている。
【０００７】
ＤＶＢ（「デジタルビデオ放送」）規格によれば、現在の番組の実際の（real）終了時間と、次の番組の実際の開始及び終了時間とは、定期的に伝送されている。オプションで、後続する番組の実際の開始及び終了時間も、伝送されることができる。
【０００８】
この情報は、ＥＩＴテーブル（「イベント情報テーブル」）内で伝送される。
【０００９】
このようなデジタルテレビジョンシステムにおいて、前記記録装置を、実際の開始及び終了時間が放送局によって既に伝送されている番組に関してプログラミングすることは、前記電子番組ガイドに従って、記録されるべき前記番組を直接的に選択することによって実現される。従って、前記記録装置は、正確に、前記番組の前記実際の開始時間に開始され、該番組の前記実際の終了時間に停止する。
【００１０】
しかしながら、後続する番組の前記実際の開始及び終了時間は、限られた数の番組に関してのみ伝送される。これらの番組は、２つの連続する番組のみ、1日のみ又は数日のみに渡るものであり得る。
【００１１】
ユーザが記録したい番組が、開始及び終了時間が伝送される番組を越える期間内にある場合、前記記録装置は、理論的な開始及び終了時間に基づいてプログラムされなければならない。これらの時間は、例えば、前記番組のタイムテーブルを供給する雑誌を読むことによって、知られる。
【発明の開示】
【発明が解決しようとする課題】
【００１２】
上述したように、放送局によって時間的な番組のずれが生じている場合に、記録されるべき番組の一部は、記録されることができない。
【００１３】
本発明の目的は、前記記録をプログラミングする時点で、記録されるべき番組の開始及び終了の実際のタイムテーブルが、まだ、放送局によって伝送されていない場合に、記録されるべき該番組のある部分が記録されないという生じ得る問題と、反対に、記録されるべき該番組に先行する番組の終了部を記録する問題とに対する解決策を提案することにある。
【００１４】
このために、本発明の目的は、テレビジョン信号内に含まれている番組を記録する方法であって、前記テレビジョン信号が、少なくとも次の番組の前記実際の開始時間を含む番組情報を含んでいる方法において、
―  記録されるべき前記番組の理論的な開始時間を記憶するステップ、
―  後続する番組の間で、少なくとも記憶された前記記録されるべき番組の理論的な開始時間と、前記テレビジョン信号内に含まれている前記番組情報内に含まれている前記次の番組の実際の開始時間とに関する一致の基準（criterion of concordance）を満たす、保持されている番組（retained
program）を規定するステップ、及び
―  前記保持されている番組の実際の開始時間に基づいて、前記テレビジョン信号を記録するステップ、
を有することを特徴とする方法を提供することにある。
【課題を解決するための手段】
【００１５】
本発明の特定の実施例によれば、前記方法は、
―  前記伝送される番組情報が、前記番組の実際の終了時間を含んでおり、前記方法が、前記保持されている番組に対応する前記テレビジョン信号の記録の間に、前記保持されている番組に関して伝送される前記番組情報内で前記番組の実際の終了時間を検索するステップと、前記保持されている番組の前記実際の終了時間に前記記録を停止するステップとを有し；
―  前記伝送される番組情報が、現在の番組の発生の指示子を含んでおり、前記方法が、前記現在の番組の前記発生の指示子に従うステップと、前記伝送される番組情報内に前記現在の番組の前記発生の指示子がない間、前記テレビジョン信号の前記記録を停止するステップとを有し；
―  前記伝送される番組は、該番組の実際の終了時間を含み、前記方法が、記録されるべき前記番組の理論的な終了時間を記憶するステップであって、前記一致の基準が、記録されるべき該番組の記憶された前記理論的な終了時間と、前記テレビジョン信号内に含まれている前記番組情報内に含まれている前記保持されている番組の実際の終了時間とにも関している、ステップを有し；
―  前記一致の基準は、例えば、前記次の番組に関する放送のタイムテーブルと、前記理論的な開始時間と前記理論的な終了時間との間に規定されている放送のタイムテーブルとの間の時間的な重複であって、自身の継続時間が前記次の番組の放送のタイムテーブルを７０％よりも多く越えている時間的な重複の存在によって、規定される；
特徴的なフィーチャの１つ又はいくつかを有することができる。
【００１６】
本発明は、テレビジョン信号内に含まれている番組を記録する装置であって、該テレビジョン信号は、少なくとも次の番組の実際の開始時間を含む番組情報を含んでいる装置において、
―  記録されるべき前記番組の理論的な開始時間を記憶する手段、
―  前記後続する番組の間で、少なくとも記憶された前記記録されるべき番組の理論的な開始時間と、前記テレビジョン信号内に含まれている前記番組情報内に含まれている前記次の番組の実際の開始時間とに関する一致の基準を満たす、保持されている番組を規定する手段、及び
―  前記保持された番組の実際の開始時間に基づいて、前記テレビジョン信号を記録する手段、
を有することを特徴とする装置にも関する。
【００１７】
本発明は、前記テレビジョン信号が、少なくとも次の番組の実際の開始時間を含む番組情報を含んでいるテレビジョン信号のデコーダであって、
―  記録されるべき前記番組の理論的な開始時間を記憶する手段、
―  前記後続する番組の間で、少なくとも記憶された前記記録されるべき番組の理論的な開始時間と、前記テレビジョン信号内に含まれている前記番組情報内に含まれている前記次の番組の実際の開始時間とに関する一致の基準を満たす、保持されている番組を規定する手段、及び
―  前記保持された番組の実際の開始時間に基づいて、前記テレビジョン信号の記録を制御する手段、
を有する、テレビジョン信号のデコーダにも関する。
【００１８】
最後に、本発明は、データ処理ユニット用のコンピュータプログラムであって、該コンピュータプログラムが、データ処理ユニットによって実行された場合に、前記方法のステップを実施する命令の集合を含むコンピュータプログラムにも関する。
【発明を実施するための最良の形態】
【００１９】
本発明は、単に例として、以下の記載を読み、添付図面を参照することによって、よりよく理解されるであろう。
【００２０】
図１に示されているデジタルテレビジョンの受信及び記録システムは、受信アンテナ１４に接続されているデコーダ１２を有する。デコーダ１２は、テレビジョンスクリーン１６に接続されており、該テレビジョンスクリーン１６は、テレビジョン信号において受信される画像を表示し音を再生する。
【００２１】
当該設備は、ビデオレコーダのような記録装置１８も有する。この装置は、デコードされたテレビジョン信号を伝送する接続２０と、複数の制御信号を伝送するライン２２とによって、デコーダ１２に接続されている。これらの制御信号は、特に、記録の開始及び該記録の終了を、それぞれ制御するように、デコーダ１２によって記録装置１８にアドレス指定された開始及び停止の信号から成る。
【００２２】
これ自体は知られているように、デコーダ１２は、ＤＶＢ規格によるテレビジョン信号を受信し、この信号を処理する。
【００２３】
以下の記載は、ＤＶＢ規格を考慮しながら、与えられているものである。しかしながら、本発明は、前記信号が番組を開始する及び終了するための情報を含んでいる、ＡＴＳＣ規格のようなテレビジョン信号用の、いかなる他の伝送規格とも共に使用されることができる。
【００２４】
このテレビジョン信号は、実際のテレビジョン番組を構成するデータと、現在の番組及び１つ又はいくつかの後続する番組の特性情報を再編成する番組情報とを含んでいる。
【００２５】
この記載において、番組という用語は、ＤＶＢ規格の意味におけるイベントを示している。
【００２６】
この番組情報は、ＥＩＴテーブル内に含まれている。前記番組情報は、特に、各番組に関しての、実際の開始時間と実際の終了時間とを含んでおり、これらは、例えば、前記番組情報を伝送する時点で、前記放送局によって評価されたものである。
【００２７】
ＤＶＢ規格によれば、この情報は、少なくとも、図４ないし６において、ｐ（ＤＶＢ用語による「現在（present）」）で示されている現在の番組と、これらの図において、ｆ（ＤＶＢ用語による「次（following）」）で示されている直後の番組（次の番組）とに関して伝送される。
【００２８】
以下の記載において、この番組情報は、現在の番組、及び前記次の番組に関して伝送されるのみではない。
【００２９】
デコーダ１２は、テレビジョン信号を受信しこの信号をデコードして、テレビジョン装置１６及びレコーダ１８によって使用されるべき前記番組のデータを形成する、手段を有する。
【００３０】
デコーダ１２は、番組情報を処理し、特に、受信した信号内の、現在の番組ｐと次の番組ｆとに関して伝送された実際の開始時間と実際の終了時間とを、コンパイルする手段を有する。
【００３１】
デコーダ１２は、受信したテレビジョン信号と同期化される現在の時間の決定を可能にする、内部時計も有する。
【００３２】
これら自体は知られているように、デコーダ１２は、将来の番組を記録するプログラミング手段を有する。前記手段は、特に、記録されるべき番組の理論的な開始時間と、記録されるべき該番組の理論的な終了時間との入力を可能にするリモコンを有する。
【００３３】
有利には、デコーダ１２は、電子番組ガイドを形成して、種々のアクセス可能な番組と将来の番組に関する情報とに、ユーザが簡単にアクセスできるようにするモジュールも有する。
【００３４】
番組を記録するのに、デコーダ１２は、図２に示した全体のフローチャートを使用する。
【００３５】
テレビジョン信号内に含まれる番組を記録するのに、前記方法は、ステップ３０において、記録されるべき前記番組の理論的な開始時間を記憶し；次いで、ステップ３２において、後続する番組の間に、少なくとも記憶された記録されるべき前記番組の前記理論的な開始時間と、該番組の実際の開始時間とに関する一致の基準を満たす番組を規定し；最後に、ステップ３４において、前記基準を満たす前記番組の前記実際の開始時間に関して保持されている、一致する前記番組を記録する。
【００３６】
ステップ５２において、ｈｄで示されている理論的な開始時間と、ｈｆで示されている理論的な終了時間とは、前記リモコンのユーザによって供給される。これらは、前記デコーダによって記憶される。
【００３７】
理論的な開始及び終了時間ｈｄ及びｈｆは、図４に示されている。この図において、テレビジョン放送局によって伝送される連続的な番組が、長方形で表されている。これらの番組は、左から右へ進行するようになっている期間に渡って広がっている。
【００３８】
図４、５及び６において、実線で示されている前記番組は、ｔで示される時点で、自身の番組情報が、受信されている番組である。他の番組（自身の番組情報が、時点ｔにおいて、構成中で、まだ受信されていない番組）は、破線で示されている。
【００３９】
図４において、時点ｔにおいて、ｐで示されている現在の番組と、ｆで示されている次の番組とのみが、デコーダ１２に知られている番組情報を有する。この情報は、単に、必須で伝送されている情報である。
【００４０】
特に、記録されなければならない後続する番組に関して、デコーダ１２は、前記実際の開始及び終了時間をまだ破棄していない。
【００４１】
ステップ５４において、前記デコーダは、該デコーダがその前記実際の開始及び終了時間を知っている、次の番組が、記憶されている前記理論的な開始及び終了時間と一致する基準を満たしているかどうかを評価する。以下の記載では、この番組を、保持されている番組と呼ぶ。
【００４２】
このためには、デコーダ１２は、前記次の番組に関して受信された番組情報を、記憶された前記理論的な開始及び終了時間と比較する。
【００４３】
前記一致の基準は、例えば、前記次の番組に関する放送のタイムテーブルと、前記理論的な開始時間と前記理論的な終了時間との間で規定されたタイムテーブルとの間の時間的な重複であって、自身の継続期間が、前記次の番組の放送タイムテーブルを７０％より多く越えている時間的な重複の存在によって、規定される。
【００４４】
一致がない場合、前記理論的な時間が、記録に使用されるであろう。
【００４５】
ステップ５６において、一致する番組が判断されているかどうかを判断するように、テストが実行される。これが真でない場合、ステップ５４が、ループで、再び実行される。
【００４６】
前記一致の基準を満たしている、次の番組が、識別されるとすぐに、前記保持されている番組の前記番組情報内の、Ｈｄで示されている前記実際の開始時間が決定される。現在の状況は、図５に示されており、時点ｈｄ及びＨｄがずらされている。
【００４７】
ステップ６０において、実際の開始時間Ｈｄに到達しているかを判断するテストが、実行される。実際の開始時間Ｈｄに到達していない限りは、ステップ５８が、定期的に伝送されている番組情報内の実際の開始時間Ｈｄの起こり得る修正を判断するように、使用される。
【００４８】
実際の開始時間Ｈｄが現在の時間に等しい場合、前記記録が、ステップ６２において開始される。このためには、記録の命令が、デコーダ１２によって記録装置１８に与えられる。
【００４９】
ステップ６４において、前記デコーダは、保持されている前記番組の放送中に、前記放送局が、前記番組が進行していることを示す状態情報を伝送しているかどうかを、判断する。
【００５０】
これが真である場合には、ループ６６が開始される。このループは、前記番組が進行していることを示す前記状態情報が受信されている限りは、保持される。このためには、ステップ６８において、前記状態情報の受信を検証するテストが実行される。この情報が、もはや受信されない場合、ステップ７０において、前記記録に対する期間が設定される。このためには、デコーダ１２による命令が、記録装置１８に与えられる。
【００５１】
一方、前記番組が進行していることを示す状態情報が、ステップ６４の前記テストの間、伝送されていない場合、Ｈｆで示される実際の終了時間を検索するステップ７２が、実施される。この実際の終了時間は、前記放送局によって連続的に伝送されるＥＩＴ番組情報内に含まれている。
【００５２】
現在の時点で考慮されている実際の終了時間が、現在の時間に等しい又はこれより早い限りは、ステップ７２は、ステップ７４において実施されるテストに基づいて、実施される。
【００５３】
従って、ステップ７２は、常に、前記番組の放送中に使用され、この放送中に、該番組の継続期間の変更がある場合に、図６にＨｆ２で示された新しい実際の終了時間が、前記デコーダによって受信され、以前に考慮されていた実際の終了時間Ｈｆ１（図５）を置き換えることにより、ステップ７４において取り入れられる。
【００５４】
前記現在の時間が、前記実際の終了時間に到達している場合、前記記録は、ステップ７０において、停止される。
【００５５】
前記記録の処理の開始時に、プログラムされた前記理論的な終了時間Ｈｆが、現在の時間より遅いかどうかを判断するように、ステップ７６において、テストが実行される。
【００５６】
これが真でない場合、ステップ５４及び後続するステップが、前記一致の基準が、前記次の番組によって満たされている場合に、該次の番組の記録を確実にするように、再び実施される。
【００５７】
これが真である場合、期限が、ステップ７８において、当該アルゴリズムに設定される。
【００５８】
図５に示されているような処理によって、所望の番組の前記記録は、たとえ実際の開始時間Ｈｄが理論的な開始時間ｈｄと異なっている場合でも、実際の開始時間Ｈｄに開始されるのは、明らかであろう。
【００５９】
同様に、図６に示されているように、前記記録は、たとえ実際の終了時間Ｈｆが理論的な終了時間ｈｆと異なっている場合でも、実際の開始時間Ｈｄに停止する。
【００６０】
想定される実施例において、当該アルゴリズムの使用を確実にする前記手段は、デコーダ１２内に含まれる。代替的には、これらは、ビデオ記録装置１８内に直接的に組み込まれることもできる。他の変形において、これらは、テレビジョン装置１６内に組み込まれることもできる。
【００６１】
前記方法の使用を可能にする手段は、一般的には、コンピュータプログラムであって、前記デコーダ、前記記録装置、前記テレビジョン受信機又はいかなる他のデータシステムのコンピュータ上で使用された場合に、前記方法の実行を確実にするコンピュータプログラムに頼るものである。
【図面の簡単な説明】
【００６２】
【図１】デジタルテレビジョンの受信及び記録システムの概略図である。
【図２】本発明による方法の簡易化されたフォローチャートである。
【図３】本発明による方法の詳細なフォローチャートである。
【図４】ある時点において考えられた、デジタルテレビジョン放送のタイムテーブルの図である。
【図５】後の時点において考えられた、デジタルテレビジョン放送のタイムテーブルの図である。
【図６】後の時点において考えられた、デジタルテレビジョン放送のタイムテーブルの図である。
【図１】
2006509398.tif 000003
【図２】
2006509398.tif 000004
【図３】
2006509398.tif 000005
【図４】
2006509398.tif 000006
【図５】
2006509398.tif 000007
【図６】
2006509398.tif 000008
【国際調査報告】
2006509398.tif 000009
2006509398.tif 000010